(57)【要約】【課題】  リードピンを電極パッドに接合する際に、導電剤中にボイドを残さずにリードピンを接合し、リードピンの接合強度を高めるとともに、リードピンを接合した配線基板を再加熱した際に、リードピンが傾いたり、位置ずれしたりすることを防止し、信頼性の高いリードピン付き配線基板として提供する。【解決手段】  配線基板３２に形成された電極パッド１２にリードピン２０のヘッド部２０ａを導電剤１４を介して接合して形成されたリードピン付き配線基板３０において、前記リードピン２０は、円板状に形成された前記ヘッド部２０ａの周縁部に、ノッチ部２０ｂが切欠形状に形成されてなることを特徴とする。【選択図】          図１
2006344621.tif 000002
【特許請求の範囲】
【請求項１】
配線基板に形成された電極パッドにリードピンのヘッド部を導電剤を介して接合して形成されたリードピン付き配線基板において、
前記リードピンは、円板状に形成された前記ヘッド部の周縁部に、ノッチ部が切欠形状に形成されてなることを特徴とするリードピン付き配線基板。
【請求項２】
前記ノッチ部が、前記ヘッド部の周方向に均等間隔で４個所設けられていることを特徴とする請求項１記載のリードピン付き配線基板。
【請求項３】
前記ヘッド部の前記電極パッドに対向する端面が、円錐突起状に形成されていることを特徴とする請求項１または２記載のリードピン付き配線基板。
【請求項４】
前記リードピンは、軸部の一端にＣ面取り部が形成され、Ｃ面取り部を介して前記ヘッド部が前記軸部と一体に形成されていることを特徴とする請求項１〜３のいずれか一項記載のリードピン付き配線基板。
【請求項５】
前記導電剤が、はんだであることを特徴とする請求項１〜４のいずれか一項記載のリードピン付き配線基板。
【請求項６】
請求項１記載のリードピン付き配線基板に用いられるリードピンであって、
軸部の一端に円板状に形成されたヘッド部が軸部と一体に設けられ、前記ヘッド部の周縁部に切欠形状にノッチ部が形成されていることを特徴とするリードピン。
【請求項７】
前記ノッチ部が、前記ヘッド部の周方向に均等間隔で４個所設けられていることを特徴とする請求項６記載のリードピン。
【請求項８】
前記ヘッド部の端面が、円錐突起状に形成されていることを特徴とする請求項６または７記載のリードピン。
【請求項９】
前記軸部と前記ヘッド部との連結部が、Ｃ面取り部に形成されていることを特徴とする請求項６〜８のいずれか一項記載のリードピン。
【発明の詳細な説明】
【技術分野】
【０００１】
本発明はリードピン付き配線基板およびリードピンに関し、より詳細にはピングリッドアレイ（ＰＧＡ）型の配線基板のような、基板の表面に形成された電極パッドにリードピンを接合して形成されるリードピン付き配線基板およびこれに用いられるリードピンに関する。
【背景技術】
【０００２】
図６は、配線基板１０の表面に形成された電極パッド１２にリードピン５を接合してリードピン付き配線基板を製造する従来の製造工程を示す。図６(a)は、配線基板１０に形成された電極パッド１２の表面に、はんだペースト１４ａを塗布し、各々の電極パッド１２に位置合わせしてリードピン５を配置した状態を示す。配線基板１０の電極パッド１２が形成された面はソルダーレジスト１６によって被覆され、電極パッド１２でリードピン５が接合される部位が円形に開口している。電極パッド１２の開口部には金めっき等の保護めっきが施される。
【０００３】
図６(b)は、リフロー加熱により、はんだペースト１４ａを溶融して電極パッド１２にリードピン５を接合した状態を示す。リードピン５は従来一般に用いられているヘッド部５ａが円板状に形成されたピン（平ピン）である。
リフロー加熱によりはんだペースト１４ａがリードピン５のヘッド部５ａにメニスカス状にはい上がってリードピン５が電極パッド１２に接合される。ところが、このリフロー加熱の際に、はんだペースト１４ａに含まれていたフラックス成分等が揮発し、この揮発ガスがはんだペースト１４ａから抜け出せず、リードピン５と電極パッド１２との接合部にボイド１４ｂとして残ってしまうことがある。
【０００４】
はんだ１４中にボイド１４ｂとして残ったガスあるいはエアは、配線基板１０にリードピン５を接合した後、配線基板１０に半導体素子を搭載したり回路部品を搭載したりするために、配線基板１０（パッケージ）を再加熱した際に、はんだ１４内で膨張し、あるいは溶融したはんだ１４から抜け出ようとしてリードピン５を傾けたり、正規の位置から位置ずれさせたりする。図６(c)は、配線基板１０をはんだ１４が溶融する程度の温度にまで再加熱した際に、ボイド１４ｂの影響によってリードピン５が傾く状態になることを説明的に示している。配線基板１０にリードピン５を接合した後、配線基板１０を再加熱した際にはんだ１４中のボイド１４ｂにより、リードピン５が傾いたり、位置ずれしたりする問題については、特許文献１にも記載されている。
【特許文献１】特開２００１−２９１８１５号公報
【特許文献２】特開２００１−２１７３４２号公報
【発明の開示】
【発明が解決しようとする課題】
【０００５】
はんだを用いてリードピン５を電極パッド１２に接合する際に、はんだ１４中に残留するボイド１４ｂの影響を抑える方法として、簡単には電極パッド１２に塗布するはんだペーストの塗布量を減らす方法がある。しかしながら、はんだペーストの塗布量を減らすと、リードピン５と電極パッド１２との接合強度が低下してしまうという問題が生じる。
また、特許文献１には、ボイド１４ｂによる影響を抑える方法として、リードピンのヘッド部の上面に溝を形成し、はんだペーストに含まれるフラックス成分によるガスや、はんだペーストに含まれたエアが、溝に沿って外部に抜け出すようにした構成が記載されている。
【０００６】
しかしながら、リードピンのヘッド部が平坦面に形成されている場合には、ヘッド部に溝を設けたとしても、配線基板を再加熱した際にはんだ中からフラックス成分による揮発ガスを排出させたりエアを排出させたりする作用は必ずしも有効ではない。また、半導体素子の多ピン化とともに、リードピンはヘッド部の外径が１ｍｍ以下といったようにきわめて細径になってきている。したがって、このような細径のリードピンを製作する際にヘッド部等に微細な加工を施すことはリードピンの量産を困難にする。
【０００７】
本発明は、これらの課題を解消すべくなされたものであり、はんだペーストあるいは一般的な導電性接着剤を用いてリードピンを電極パッドに接合する際に、はんだペーストや導電性接着剤中にボイドを残さずにリードピンを接合することができ、これによってリードピンの接合強度を高めることができるとともに、リードピンを接合した配線基板を再加熱した際に、リードピンが傾いたり、位置ずれしたりすることを防止し、製品不良が発生することを抑えることができる信頼性の高いリードピン付き配線基板を提供すること、およびこのリードピン付き配線基板の製造に好適に用いることができるリードピンを提供することを目的とする。
【課題を解決するための手段】
【０００８】
上記目的を達成するために、本発明は次の構成を備える。
すなわち、配線基板に形成された電極パッドにリードピンのヘッド部を導電剤を介して接合して形成されたリードピン付き配線基板において、前記リードピンは、円板状に形成された前記ヘッド部の周縁部に、ノッチ部が切欠形状に形成されてなることを特徴とする。前記導電剤としては、はんだあるいは樹脂からなる導電性接着剤が利用できる。また、前記ヘッド部に形成するノッチ部は、単数あるいは複数設けることができ、ヘッド部の周縁部の適宜個所に設けることができる。
【０００９】
また、前記ノッチ部が、前記ヘッド部の周方向に均等間隔で４個所設けられているものは、配線基板を再加熱した際のリードピンの位置ずれを抑制し、電極パッドとの所要の接合強度を容易に得ることができる点で好ましい。
また、前記ヘッド部の前記電極パッドに対向する端面が、円錐突起状に形成されていることにより、はんだペースト等の導電剤を介して前記リードピンのヘッド部を電極パッドに接合する際に、導電剤中に含まれるフラックス成分等が揮発したガス、あるいは導電剤に混入したエアが外部に容易に排出される。また、リードピンのヘッド部と電極パッドとの間に充填される導電剤の量を確保して、リードピンと電極パッドとの接合強度を向上させることができる。
【００１０】
また、前記リードピンは、軸部の一端にＣ面取り部が形成され、Ｃ面取り部を介して前記ヘッド部が前記軸部と一体に形成されていることにより、前記ヘッドのノッチ部を充填した導電剤がＣ面取り部にまではい上がって付着し、リードピンの電極パッドに対する接合強度を増大させることが可能になる。
また、前記導電剤として、はんだを使用することにより、リードピンを確実に電極パッドに接合することができ、リードピン付き配線基板を再加熱して配線基板に半導体素子等を搭載することが容易に可能になる。
【００１１】
また、前記リードピン付き配線基板に用いられるリードピンであって、軸部の一端に円板状に形成されたヘッド部が軸部と一体に設けられ、前記ヘッド部の周縁部に切欠形状にノッチ部が形成されていることを特徴とする。
また、前記ノッチ部が、前記ヘッド部の周方向に均等間隔で４個所設けられていること、また、さらに前記ヘッド部の端面が、円錐突起状に形成されていること、また、さらに前記軸部と前記ヘッド部との連結部が、Ｃ面取り部に形成されていることにより、リードピン付き配線基板に好適に用いられるリードピンとして提供することができる。
【発明の効果】
【００１２】
本発明に係るリードピン付き配線基板は、配線基板に形成された電極パッドにリードピンが確実に接合され、導電剤を用いてリードピンを電極パッドに接合する際にリードピンと電極パッドとの接合部中にボイドが残留することを防止することができ、これによってリードピンと電極パッドとの所要の接合強度を確保することができるとともに、配線基板を再加熱したりした際にリードピンが位置ずれしたり、傾いたりすることを防止し、信頼性の高いリードピン付き配線基板として提供することができる。
【発明を実施するための最良の形態】
【００１３】
図１は本発明に係るリードピン付き配線基板の一実施形態について、その構成を一部破断して示す断面図である。本実施形態のリードピン付き配線基板３０は、配線基板３２の一方の面が半導体素子等を搭載する搭載部３２ａに形成され、配線基板３２の他方の面に電極パッド１２が設けられ、電極パッド１２にリードピン２０が接合されて形成されている。搭載部３２ａには半導体素子、あるいは抵抗等の回路部品を搭載する配線パターンが形成される。これらの搭載部３２ａに形成される配線パターンの構成は、一般的な配線基板における構成と同様であり、図１においては搭載部３２ａの構成を省略している。
【００１４】
配線基板３２の他方の面は、リードピン２０が接合される電極パッド１２の表面を除いて、保護膜であるソルダーレジスト１６により被覆されている。電極パッド１２は銅層によって形成され、ソルダーレジスト１６によって被覆されていない露出部分については、リードピン２０との接合性を良好にするため、保護めっきとしてのニッケルめっきと金めっきが、この順に施されている。
【００１５】
リードピン２０を電極パッド１２に接合する際には、まず、電極パッド１２の露出面にはんだペーストを塗布し、各々の電極パッド１２にリードピン２０を位置合わせして配置した後、配線基板をリフロー加熱し、はんだ１４によりリードピン２０を電極パッド１２に接合する。本実施形態では、電極パッド１２にはんだペーストを塗布した後、支持治具によりリードピン２０を支持することにより、リードピン２０を電極パッド１２に位置合わせするとともに、配線基板３２の基板面に垂直にリードピン２０を支持した。
こうして、図１に示すように、配線基板３２の他方の面に形成された各々の電極パッド１２に、基板面に垂直にリードピン２０が接合されたリードピン付き配線基板３０が得られる。
【００１６】
図２は、リードピン付き配線基板３０に用いられているリードピン２０の構成を拡大して示す。図２(a)はリードピン２０の平面図、図２(b)は正面図である。
図２(b)に示すように、リードピン２０は、針状に形成された軸部２１と、軸部２１の一端に軸部２１と一体に形成されたヘッド部２０ａとからなる。軸部２１とヘッド部２０ａとの連結部近傍には、ヘッド部２０ａ側が拡径するテーパ面に形成されたＣ面取り部２１ａが形成されている。このＣ面取り部２１ａは軸部２１の一部を構成する。
【００１７】
本実施形態のリードピン２０において特徴的な構成は、ヘッド部２０ａの形状にある。すなわち、ヘッド部２０ａは、円板状に形成されたフランジ体の周縁部に周方向に均等間隔に４つのノッチ部２０ｂが形成され、電極パッド１２に対向する面側となるフランジ体の端面全体が円錐突起２０ｃとして形成された形態となっている。
ノッチ部２０ｂは、フランジ体を厚さ方向に通過する切り欠き形状に形成される。円板状のフランジ体の外周縁の４個所にノッチ部２０ｂを形成したことによって、ヘッド部２０ａを電極パッド１２への接合面側から見ると、ノッチ部２０ｂの両側にコーナー部が張り出し、平面形状は全体として四角形状に近い形態となる（図２(a)）。
【００１８】
なお、本実施形態のリードピン付き配線基板に使用しているリードピン２０の寸法は、リードピン２０の全長２ｍｍ、軸部２１の外径０．３ｍｍ、ヘッド部２０ａの外径０．７ｍｍ、円錐突起２０ｃの高さ０．０８ｍｍ、Ｃ面取り部２１ｂの高さ０．０５ｍｍである。
リードピン２０は、金型を用いて所定径の線材をつぶし加工することによって製作される。ヘッド部２０ａの周縁部にノッチ部２０ｂを形成すること、ヘッド部２０ａの端面に円錐突起２０ｃを形成することは、１回の金型の加工操作によって行うことができ、平ピンと同様の加工によって製作することができる。なお、本実施形態で使用しているリードピン２０はきわめて細径であり、ヘッド部２０ａも小型であるので、実際に得られたリードピン２０はノッチ部２０ｂ等の形状が設計値から若干ずれた形態となっている。
本実施形態で使用している線材は銅線であり、成形後、ニッケルめっきと金めっきを施してリードピン２０としている。
【００１９】
図３は、リードピン２０を電極パッド１２に接合した状態を拡大して示す。図３(a)は、リードピン２０のヘッド部２０ａをノッチ部２０ｂを横断する断面で見た状態、図３(b)は、リードピン２０のヘッド部２０ａを最大径方向の断面で見た状態を示す。
図３(a)、(b)に示すように、本実施形態のリードピン２０はヘッド部２０ａの端面に形成された円錐突起２０ｃを電極パッド１２に当接させ、はんだ１４によりヘッド部２０ａを電極パッド１２に接合して取り付けられる。
【００２０】
リードピン２０を電極パッド１２に接合する操作は、電極パッド１２の表面にはんだペーストを塗布し、支持治具を用いて各々の電極パッド１２に位置合わせしてリードピン２０を配置し、リフロー加熱によりリードピン２０を電極パッド１２に接合する方法によってなされる。
本実施形態のリードピン２０は、電極パッド１２に当接する端面が円錐突起２０ｃとして形成されているから、リードピン２０を電極パッド１２に配置した状態で、リードピン２０の端面と電極パッド１２の表面との間が離間する。したがって、はんだペーストが加熱され、はんだペーストに含まれているフラックス成分が揮発して生じたガスは、リードピン２０の端面と電極パッド１２との間から抜け出ることができる。図３(a)、(b)では、はんだペーストのフラックス成分あるいははんだペースト中に混入したエアが抜け出る様子を矢印で示している。
【００２１】
図３(a)、(b)を対比して見るとわかるように、本実施形態のリードピン２０では、ヘッド部２０ａの周縁部にノッチ部２０ｂを設けているから、ノッチ部２０ｂを設けた部位では、ヘッド部２０ａの中心から外周縁までの距離がヘッド部２０ａの外径よりも短くなっている。ノッチ部２０ｂはヘッド部２０ａの厚さ方向に貫通して設けられているから、はんだペースト中に含まれるフラックス成分やはんだペーストに混入したエアは、ノッチ部２０ｂから簡単に外部に抜け出るようになる。
また、ヘッド部２０ａの端面が円錐突起２０ｃとして形成されていることにより、はんだペースト中から揮発したフラックス成分やはんだペーストに混入したエアは、離間空間が広くなる外側へ向けて容易に移動することができ、この作用によってはんだペースト中のフラックス成分等はさらに容易に外部に抜け出るようになる。
【００２２】
図４(a)は、リードピン２０を電極パッド１２に接合した状態をリードピン２０の上面側から見た状態を示す。はんだ１４がソルダーレジスト１６の開口部１６ａの内縁とヘッド部２０ａの周縁部との間に充填されている。ヘッド部２０ａの周縁部でノッチ部２０ｂが形成された部位では開口部１６ａの内縁との離間間隔が広くなっている。
本実施形態で使用しているリードピン２０のように、きわめて細径のリードピンを使用する場合は、リードピンの接合状態を視認することが困難であるが、ヘッド部２０ａにノッチ部２０ｂを形成する形態とすることで、ノッチ部２０ｂにおけるはんだ１４の充填状態を視認して簡単にリードピンの接合状態を確認することが可能になる。
【００２３】
また、ヘッド部２０ａにノッチ部２０ｂを設けることにより、ノッチ部２０ｂにはんだ１４が充填され、リードピン２０を電極パッド１２に接合しているはんだ１４の量を確保することができ、これによってリードピン２０の所要の接合強度を得ることができる。また、ヘッド部２０ａの端面を円錐突起２０ｃとして形成することでヘッド部２０ａの端面と電極パッド１２の表面との間にはんだ１４を充填してはんだ１４の量を確保する効果もある。
また、ヘッド部２０ａにノッチ部２０ｂを設けたことにより、ヘッド部２０ａの外形を円形に形成した場合と比較して、ヘッド部２０ａの外周長が長くなり、はんだ１４とヘッド部２０ａとの接触面積が拡大することによって、リードピン２０と電極パッド１２との接合強度を増大させることが可能になる。
【００２４】
また、ヘッド部２０ａの外周面にノッチ部２０ｂを設けたことで、ノッチ部２０ｂの縁部と、軸部２１に設けたＣ面取り部２１ａの縁部とが、より接近した位置関係になる。この結果、ノッチ部２０ｂに充填されたはんだ１４は、図３に示すように、ノッチ部２０ｂからＣ面取り部２１ａに簡単にはい上がり、Ｃ面取り部２１ａの外面にはんだ１４がはい上がった状態でリードピン２０が接合される。このようにＣ面取り部２１ａにはんだ１４がはい上がるようにしてリードピン２０が接合されることによって、リードピン２０の接合強度がさらに増大する。
【００２５】
以下、本発明に係るリードピン２０を使用したリードピン付き配線基板と、図６に示すいわゆる平ピン形の従来のリードピンを使用したリードピン付き配線基板について、ボイド発生率、リードピンの接合強度、リードピンのシフト量等について、比較測定を行った結果について説明する。
【００２６】
（ボイド発生率）
ボイド発生率については、本発明に係るリードピンと平ピン形のリードピンを、はんだペーストを使用して配線基板に接合し、リードピンの接合部をＸ線写真に撮り、ボイドの発生状態を観察して比較した。なお、平ピン型のリードピンは、軸部の外径０．３ｍｍ、ヘッド部５ａの外径０．７ｍｍのものである。リードピンの接合に使用したはんだペーストは、溶融温度が２４５℃のものである。
Ｘ線写真により、リードピンのヘッド部に生じたボイドを観察した結果、従来の平ピンを用いた場合は、ヘッド部の下部に比較的大きなボイドが発生したのに対して、本発明に係るリードピンを使用した場合は問題となる大きなボイドは見られなかった。
【００２７】
配線基板に形成されている電極パッドの全数に対して、ボイドが生じた電極パッドの数をボイド発生率とすると、従来の平ピンを用いた場合は、常に１％以上存在していたのに対して、本発明に係るリードピンを使用した場合は、数万個の電極パッドについて調査した結果、問題となるボイドは存在せず、ボイド発生率を０％にまで低減させることができた。このことは、本発明に係るリードピン２０がボイド発生を抑制する効果的な作用を有することを示すものである。
【００２８】
（リードピンのシフト量）
配線基板にリードピンをはんだ接合した後、配線基板を再加熱し、再加熱前のリードピンの位置と、再加熱した後のリードピンの位置の変位量を測定した。
実際の実験は、はんだペーストを使用して２７０℃でリードピンを配線基板に接合し、配線基板に接合されているリードピンの各々の接合位置を測定した後、２６７℃で再加熱し、再加熱後のリードピンの接合位置を測定し、各々のリードピンについて再加熱前後のリードピンのシフト量を算出した。なお、使用したはんだの溶融温度は２４５℃であり、再加熱した際にはんだは溶融する条件となっている。
【００２９】
表１に平ピンと本発明に係るリードピンを使用した場合について、リードピンのシフト量の平均値、最大シフト量、標準偏差σを示す。
【表１】
2006344621.tif 000003
表１の測定結果は、従来の平ピンを使用する場合にくらべて、本発明のリードピンを使用した場合は再加熱前後におけるリードピンのシフト量がはっきりと抑制されていることがわかる。このことは、電極パッドにリードピンを接合した際に、接合部分にボイドが残留せず、したがって再加熱した際にリードピンが位置ずれすることが抑えられたものと考えられる。
【００３０】
（リードピンの正規位置からのシフト量）
上述した再加熱前後におけるリードピンのシフト量を測定する実験と同一の条件でリードピン付きの配線基板を再加熱し、リードピンが正規位置からどの程度変位しているかを測定した。なお、リードピンの正規位置とは、配線基板の外形端面の位置を基準として電極パッドの設計位置として設定された位置のことである。
表２に、リードピンの正規位置からのシフト量を測定した結果を、シフト量の平均値、最大値、最小値、標準偏差σとして示す。
【表２】
2006344621.tif 000004
【００３１】
表２の測定結果は、平ピンにくらべて本発明に係るリードピンを使用した場合に、正規位置からのリードピンの位置ずれ量があきらかに抑制され、ばらつきも小さくなっていることがわかる。すなわち、本発明に係るリードピンを使用した配線基板は、はんだが溶融する程度に再加熱してもリードピンが位置ずれすることを防止でき、信頼性の高いリードピン付き配線基板として提供されることを示している。
【００３２】
（リードピンの接合強度）
上述した実験と同様にリードピン付き配線基板を再加熱し、再加熱後のリードピンの接合強度を測定した。表３にその測定結果を示す。
【表３】
2006344621.tif 000005
表３の測定結果は、平ピンの場合と本発明に係るリードピンの場合とで、リードピンの接合強度の平均値については、ほとんど変わらない結果となっている。しかしながら、従来の平ピンを使用した場合には接合強度が極端に低いものがあるのに対して、本発明に係るリードピンを使用した場合は、リードピンの接合強度のばらつきが抑えられ、全体として安定した接合強度が得られることを示している。
【００３３】
以上説明した、はんだ接合部のボイド発生率、リードピンのシフト量等の測定結果は、本発明に係るリードピンを電極パッドに接合して得られたリードピン付き配線基板は、はんだが溶融する程度の温度にまで再加熱しても、リードピンの位置ずれや傾きが抑えられ、きわめて信頼性の高い配線基板として提供することが可能となる。
【００３４】
なお、上述した実施形態においては、ヘッド部２０ａに４つのノッチ部２０ｂを形成したリードピン２０について説明したが、ヘッド部２０ａに形成するノッチ部２０ｂの数およびノッチ部２０ｂの切欠形状は上記実施形態のリードピン２０の例に限るものではなく、単数あるいは複数の適宜数に形成することができる。図５(a)は、ヘッド部２０ａに２つのノッチ部２０ｂを形成した例、図５(b)は、ヘッド部２０ａに３つのノッチ部２０ｂを形成した例である。
【００３５】
図４(b)は、ヘッド部２０ａに２つのノッチ部２０ｂを形成したリードピンを電極パッド１２に接合した状態を示す。このリードピンの場合も、ヘッド部２０ａにノッチ部２０ｂを形成したことによって、はんだペーストに含まれるフラックス成分やはんだペーストに混入されたエアをノッチ部２０ｂから抜き出させることが容易に可能になる。また、ノッチ部２０ｂにはんだ１４を充填したことによって、リードピンを電極パッドに接合するためのはんだ量を確保することができ、ノッチ部２０ｂに充填したはんだが軸部２１のＣ面取り部２１ａにもはい上がりやすくなり、これによってリードピンの接合強度を増大させることが可能となる。
【００３６】
なお、上記実施形態においては、リードピン２０をはんだペースト１４ａを用いて配線基板の電極パッド１２に接合する例について説明したが、本発明は、はんだペースト１４ａ以外の導電性接着剤を用いてリードピン２０を電極パッド１２に接合するような場合にも同様に適用することができる。
【図面の簡単な説明】
【００３７】
【図１】リードピン付き配線基板の構成を一部破断して示す断面図である。
【図２】リードピンの平面図(a)、および正面図(b)である。
【図３】リードピンが電極パッドに接合された状態を拡大して示す断面図である。
【図４】リードピンを電極パッドに接合した状態を示す上面図である。
【図５】リードピンの他の例を示す平面図である。
【図６】リードピン付き配線基板の従来の構成を示す断面図である。
【符号の説明】
【００３８】
５  リードピン
１０  配線基板
１２  電極パッド
１４  はんだ
１４ａ  はんだペースト
１４ｂ  ボイド
１６  ソルダーレジスト
１６ａ  開口部
２０  リードピン
２０ａ  ヘッド部
２０ｂ  ノッチ部
２０ｃ  円錐突起
２１  軸部
２１ａ  Ｃ面取り部
３０  リードピン付き配線基板
３２  配線基板
３２ａ  搭載部
【図１】
2006344621.tif 000006
【図２】
2006344621.tif 000007
【図３】
2006344621.tif 000008
【図４】
2006344621.tif 000009
【図５】
2006344621.tif 000010
【図６】
2006344621.tif 000011
【手続補正書】
【提出日】平成17年7月5日(2005.7.5)
【手続補正１】
【補正対象書類名】特許請求の範囲
【補正対象項目名】請求項４
【補正方法】変更
【補正の内容】
【請求項４】
前記リードピンは、軸部の一端に前記ヘッド部側が拡径するテーパ面に形成されたＣ面取り部が形成され、前記軸部の一部を構成する前記Ｃ面取り部を介して前記ヘッド部が前記軸部と一体に形成されていることを特徴とする請求項１〜３のいずれか一項記載のリードピン付き配線基板。
【手続補正２】
【補正対象書類名】特許請求の範囲
【補正対象項目名】請求項９
【補正方法】変更
【補正の内容】
【請求項９】
前記軸部と前記ヘッド部との連結部が、前記軸部の一部を構成するとともに、前記ヘッド部側が拡径するテーパ面に形成されたＣ面取り部に形成されていることを特徴とする請求項６〜８のいずれか一項記載のリードピン。
【手続補正３】
【補正対象書類名】明細書
【補正対象項目名】００１０
【補正方法】変更
【補正の内容】
【００１０】
また、前記リードピンは、軸部の一端に前記ヘッド部側が拡径するテーパ面に形成されたＣ面取り部が形成され、前記軸部の一部を構成する前記Ｃ面取り部を介して前記ヘッド部が前記軸部と一体に形成されていることにより、前記ヘッドのノッチ部を充填した導電剤がＣ面取り部にまではい上がって付着し、リードピンの電極パッドに対する接合強度を増大させることが可能になる。
また、前記導電剤として、はんだを使用することにより、リードピンを確実に電極パッドに接合することができ、リードピン付き配線基板を再加熱して配線基板に半導体素子等を搭載することが容易に可能になる。
【手続補正４】
【補正対象書類名】明細書
【補正対象項目名】００１１
【補正方法】変更
【補正の内容】
【００１１】
また、前記リードピン付き配線基板に用いられるリードピンであって、軸部の一端に円板状に形成されたヘッド部が軸部と一体に設けられ、前記ヘッド部の周縁部に切欠形状にノッチ部が形成されていることを特徴とする。
また、前記ノッチ部が、前記ヘッド部の周方向に均等間隔で４個所設けられていること、また、さらに前記ヘッド部の端面が、円錐突起状に形成されていること、また、さらに
前記軸部と前記ヘッド部との連結部が、前記軸部の一部を構成するとともに、前記ヘッド部側が拡径するテーパ面に形成されたＣ面取り部に形成されていることにより、リードピン付き配線基板に好適に用いられるリードピンとして提供することができる。
【手続補正書】
【提出日】平成17年9月28日(2005.9.28)
【手続補正１】
【補正対象書類名】特許請求の範囲
【補正対象項目名】全文
【補正方法】変更
【補正の内容】
【特許請求の範囲】
【請求項１】
配線基板に形成された電極パッドに、平ピン形に形成されたリードピンのヘッド部を導電剤を介して接合して形成されたリードピン付き配線基板において、
前記リードピンは、前記ヘッド部の前記電極パッドに対向する端面が、円錐突起状に形成され、
円板状に形成された前記ヘッド部の周縁部に、ヘッド部を厚さ方向に通過する切欠形状となるノッチ部が形成されてなることを特徴とするリードピン付き配線基板。
【請求項２】
前記ノッチ部が、前記ヘッド部の周方向に均等間隔で４個所設けられていることを特徴とする請求項１記載のリードピン付き配線基板。
【請求項３】
前記リードピンは、軸部の一端に前記ヘッド部側が拡径するテーパ面に形成されたＣ面取り部が形成され、前記軸部の一部を構成する前記Ｃ面取り部を介して前記ヘッド部が前記軸部と一体に形成され、
前記ノッチ部は、前記ヘッド部の外周面よりも当該ノッチ部の縁部が、前記Ｃ面取り部の縁部に、より接近して形成されていることを特徴とする請求項１または２記載のリードピン付き配線基板。
【請求項４】
前記導電剤が、はんだであることを特徴とする請求項１〜３のいずれか一項記載のリードピン付き配線基板。
【請求項５】
請求項１記載のリードピン付き配線基板に用いられるリードピンであって、
軸部の一端に円板状に形成されたヘッド部が軸部と一体に設けられ、
前記ヘッド部の前記電極パッドに対向する端面が、円錐突起状に形成されているとともに、前記ヘッド部の周縁部に、ヘッド部を厚さ方向に通過する切欠形状となるノッチ部が形成されていることを特徴とするリードピン。
【請求項６】
前記ノッチ部が、前記ヘッド部の周方向に均等間隔で４個所設けられていることを特徴とする請求項５記載のリードピン。
【請求項７】
前記軸部と前記ヘッド部との連結部が、前記軸部の一部を構成するとともに、前記ヘッド部側が拡径するテーパ面に形成されたＣ面取り部に形成され、前記ノッチ部は、前記ヘッド部の外周面よりも当該ノッチ部の縁部が、前記Ｃ面取り部の縁部に、より接近して形成されていることを特徴とする請求項６記載のリードピン。
【手続補正２】
【補正対象書類名】明細書
【補正対象項目名】０００８
【補正方法】変更
【補正の内容】
【０００８】
上記目的を達成するために、本発明は次の構成を備える。
すなわち、配線基板に形成された電極パッドに、平ピン形に形成されたリードピンのヘッド部を導電剤を介して接合して形成されたリードピン付き配線基板において、前記リードピンは、前記ヘッド部の前記電極パッドに対向する端面が、円錐突起状に形成され、円板状に形成された前記ヘッド部の周縁部に、ヘッド部を厚さ方向に通過する切欠形状となるノッチ部が形成されてなることを特徴とする。前記導電剤としては、はんだあるいは樹脂からなる導電性接着剤が利用できる。また、前記ヘッド部に形成するノッチ部は、単数あるいは複数設けることができ、ヘッド部の周縁部の適宜個所に設けることができる。また、前記ヘッド部の前記電極パッドに対向する端面が、円錐突起状に形成され、前記ヘッド部にノッチ部が形成されていることにより、はんだペースト等の導電剤を介して前記リードピンのヘッド部を電極パッドに接合する際に、導電剤中に含まれるフラックス成分等が揮発したガス、あるいは導電剤に混入したエアが外部に容易に排出される。また、リードピンのヘッド部と電極パッドとの間に充填される導電剤の量を確保して、リードピンと電極パッドとの接合強度を向上させることができる。
【手続補正３】
【補正対象書類名】明細書
【補正対象項目名】０００９
【補正方法】変更
【補正の内容】
【０００９】
また、前記ノッチ部が、前記ヘッド部の周方向に均等間隔で４個所設けられているものは、配線基板を再加熱した際のリードピンの位置ずれを抑制し、電極パッドとの所要の接合強度を容易に得ることができる点で好ましい。
【手続補正４】
【補正対象書類名】明細書
【補正対象項目名】００１０
【補正方法】変更
【補正の内容】
【００１０】
また、前記リードピンは、軸部の一端に前記ヘッド部側が拡径するテーパ面に形成されたＣ面取り部が形成され、前記軸部の一部を構成する前記Ｃ面取り部を介して前記ヘッド部が前記軸部と一体に形成され、前記ノッチ部は、前記ヘッド部の外周面よりも当該ノッチ部の縁部が、前記Ｃ面取り部の縁部に、より接近して形成されていることにより、前記ヘッド部のノッチ部を充填した導電剤がＣ面取り部にまではい上がって付着し、リードピンの電極パッドに対する接合強度を増大させることが可能になる。
また、前記導電剤としてはんだを使用することにより、リードピンを確実に電極パッドに接合することができ、リードピン付き配線基板を再加熱して配線基板に配線基板に半導体素子等を搭載することが容易に可能になる。
【手続補正５】
【補正対象書類名】明細書
【補正対象項目名】００１１
【補正方法】変更
【補正の内容】
【００１１】
また、前記リードピン付き配線基板に用いられるリードピンであって、軸部の一端に円板状に形成されたヘッド部が軸部と一体に設けられ、前記ヘッド部の前記電極パッドに対向する端面が、円錐突起状に形成されているとともに、前記ヘッド部の周縁部に、ヘッド部を厚さ方向に通過する切欠形状となるノッチ部が形成されていることを特徴とする。
また、前記ノッチ部が、前記ヘッド部の周方向に均等間隔で４個所設けられていること、また、さらに前記軸部と前記ヘッド部との連結部が、前記軸部の一部を構成するとともに、前記ヘッド部側が拡径するテーパ面に形成されたＣ面取り部に形成され、前記ノッチ部は、前記ヘッド部の外周面よりも当該ノッチ部の縁部が、前記Ｃ面取り部の縁部に、より接近して形成されていることにより、リードピン付き配線基板に好適に用いられるリードピンとして提供できる。